(57)【特許請求の範囲】
【請求項１】
受信信号が入力される入力端子と、
エミッタ端子が前記入力端子に接続され、前記入力端子を介して入力された高周波の受信信号を増幅する増幅用トランジスタと、
ベース端子が前記増幅用トランジスタのベース端子に接続されることにより前記増幅用トランジスタと共にカレントミラー回路を形成し、前記増幅用トランジスタの動作電流を制御するための第１の制御用トランジスタと、
前記増幅用トランジスタに並列接続されると共に、エミッタ端子が前記入力端子に接続され、前記入力端子を介して入力された前記受信信号の信号レベルに応じて、前記増幅用トランジスタに入力される受信信号の割合を変化させる分流用トランジスタと、
ベース端子が前記分流用トランジスタのベース端子に接続されることにより前記分流用トランジスタと共にカレントミラー回路を形成し、前記分流用トランジスタの動作電流を制御するための第２の制御用トランジスタと、
前記増幅用トランジスタに並列接続されると共に、エミッタ端子が前記増幅用トランジスタおよび前記分流用トランジスタのエミッタ端子と共に前記入力端子に接続され、前記入力端子を介して入力された前記受信信号の信号レベルに応じてオン・オフ制御され、前記増幅用トランジスタに対する前記受信信号の信号経路を切り換えるためのスイッチング素子として機能するバイパス用トランジスタと
を備えたことを特徴とする利得可変増幅回路。
【請求項２】
更に、外部から入力された制御用信号に基づいて、前記受信信号の信号レベルに応じて前記各トランジスタおよび前記スイッチング素子の動作制御を行う制御回路を備え、
前記制御回路は、前記スイッチング素子がオン状態のときに、前記増幅用トランジスタおよび前記分流用トランジスタに対して前記受信信号が非入力状態となり、前記スイッチング素子がオフ状態のときに、前記増幅用トランジスタおよび前記分流用トランジスタに対して前記受信信号が入力状態となるように、前記各トランジスタおよび前記スイッチング素子の動作制御を行う
ことを特徴とする請求項１記載の利得可変増幅回路。
【請求項３】
前記制御回路は、前記受信信号の信号レベルが所定値より小さいときに、前記スイッチング素子がオフ状態となり、前記受信信号の信号レベルが所定値以上のときに、前記スイッチング素子がオン状態になるように、前記スイッチング素子の動作制御を行うことを特徴とする請求項２記載の利得可変増幅回路。
【請求項４】
前記制御回路は、
外部から入力された第１の制御用信号に基づいて、前記第１の制御用トランジスタおよび前記第２の制御用トランジスタに流れる電流を制御することにより、前記増幅用トランジスタの利得制御を行う第１の制御回路と、
前記スイッチング素子としてのバイパス用トランジスタのベース端子に接続され、外部から入力された第２の制御用信号に基づいて、前記バイパス用トランジスタのベース端子に入力する電流を制御することにより前記スイッチング素子をオン・オフ制御する第２の制御回路と
を有することを特徴とする請求項２記載の利得可変増幅回路。
【請求項５】
前記増幅用トランジスタのベース端子は、高周波的に接地されていることを特徴とする請求項１記載の利得可変増幅回路。
【請求項６】
前記増幅用トランジスタおよび前記分流用トランジスタに流れる動作電流の和が、一定の通信環境下にある限りにおいて、前記受信信号の信号レベルの変化に関わらず一定に保たれていることを特徴とする請求項１記載の利得可変増幅回路。
【請求項７】
前記動作電流の和を、妨害信号の有無を含む通信環境の違いに応じて変化させることを特徴とする請求項６記載の利得可変増幅回路。
【請求項８】
受信信号に対する信号処理を行う受信装置と、前記受信装置に入力された高周波の受信信号を可変的に増幅する利得可変増幅回路とを備えた通信機器であって、
前記利得可変増幅回路は、
受信信号が入力される入力端子と、
エミッタ端子が前記入力端子に接続され、前記入力端子を介して入力された高周波の受信信号を増幅する増幅用トランジスタと、
ベース端子が前記増幅用トランジスタのベース端子に接続されることにより前記増幅用トランジスタと共にカレントミラー回路を形成し、前記増幅用トランジスタの動作電流を制御するための第１の制御用トランジスタと、
前記増幅用トランジスタに並列接続されると共に、エミッタ端子が前記入力端子に接続され、前記入力端子を介して入力された前記受信信号の信号レベルに応じて、前記増幅用トランジスタに入力される受信信号の割合を変化させる分流用トランジスタと、
ベース端子が前記分流用トランジスタのベース端子に接続されることにより前記分流用トランジスタと共にカレントミラー回路を形成し、前記分流用トランジスタの動作電流を制御するための第２の制御用トランジスタと、
前記増幅用トランジスタに並列接続されると共に、エミッタ端子が前記増幅用トランジスタおよび前記分流用トランジスタのエミッタ端子と共に前記入力端子に接続され、前記入力端子を介して入力された前記受信信号の信号レベルに応じてオン・オフ制御され、前記増幅用トランジスタに対する前記受信信号の信号経路を切り換えるためのスイッチング素子として機能するバイパス用トランジスタと
を備えていることを特徴とする通信機器。
【発明の詳細な説明】
【０００１】
【発明の属する技術分野】
本発明は、携帯電話機等において受信された受信信号を可変利得で増幅可能な利得可変増幅回路およびこの利得可変増幅回路を備えた携帯電話機等の通信機器に関する。
【０００２】
【従来の技術】
携帯電話機等の通信機器において、希望とする受信信号と共に、受信信号とは異なる周波数成分の妨害信号が入力されると、各信号間で相互変調問題が発生し、受信感度が低下する。そこで、例えば、ＣＤＭＡ（Code Division Multiple Access ：符号分割多元接続）方式の携帯電話機においては、受信感度が低下するのを防止するために、「ＩＳ（Interim   Standard）−９５」という性能基準が規定されている。このＩＳ−９５では、例えば、（１）受信信号レベルが−１０１ｄＢｍで１つの妨害信号−３０ｄＢｍ、（２）受信信号レベルが−１０１ｄＢｍで２つの妨害信号−４３ｄＢｍ、（３）受信信号レベルが−９０ｄＢｍで２つの妨害信号−３２ｄＢｍ、（４）受信信号レベルが−７９ｄＢｍで２つの妨害信号−２１ｄＢｍ、の各条件下で感度が通信に充分な値であること、という性能基準が規定されている。
【０００３】
このようなＩＳ−９５の性能基準を実現するためには、特に、受信系回路の高周波段に、３次ひずみ特性（デバイスの性能としては入力インタセプトポイント( ＩＩＰ３) といわれる性能）が優れているローノイズアンプ（ＬＮＡ: 低雑音高周波増幅器）が必要とされる。まず、−１０１ｄＢｍの受信信号レベルにおける性能は、従来からある通常の技術を用いて、増幅用のトランジスタに１０ｍＡ程度の電流を流すような回路によってローノイズアンプを構成すれば満足することができる。しかしながら、３次ひずみ特性を改善する手段として、電流を多く流すという手法を用いるだけでは、−９０ｄＢｍと−７９ｄＢｍの受信信号レベルにおける性能を満足することはできない。また、最近開発されたシリコンゲルマニューム（ＳｉＧｅ）やガリウム砒素（ＧａＡｓ）のヘテロバイポーラ・トランジスタ（ＨＢＴ）を適用しても、従来からある通常の利得一定の増幅動作だけでは、−９０ｄＢｍと−７９ｄＢｍの受信信号レベルにおける性能は満足しない。
【０００４】
現在、−７９ｄＢｍにおける性能を実現する方法として、例えば、図５に示すような回路を用いる場合がある。同図に示した回路は、高周波の受信信号ＩＮを増幅する高周波増幅回路１０１と、この高周波増幅回路１０１に並列接続され、受信信号ＩＮを高周波増幅回路１０１に対して選択的にバイパスさせるバイパススイッチ回路１０２とを備えている。高周波増幅回路１０１とバイパススイッチ回路１０２は、受信信号ＩＮが入力される入力端子１０３と、出力信号ＯＵＴを出力する出力端子１０４とに接続されている。高周波増幅回路１０１は、増幅用トランジスタを含んで構成され、利得一定で動作するものである。バイパススイッチ回路１０２は、スイッチング素子を含んで構成されるものである。バイパススイッチ回路１０２は、高周波増幅回路１０１に対してディスクリート部品（個別部品）で構成される。
【０００５】
この回路では、例えば、受信信号ＩＮの信号レベルが−７９ｄＢｍ以上のときに、バイパススイッチ回路１０２がオンし、信号レベルが−７９ｄＢｍより小さいときには、バイパススイッチ回路１０２がオフ状態となるように動作する。このとき、高周波増幅回路１０１は、受信信号ＩＮの信号レベルが−７９ｄＢｍ以上で増幅動作がオフ状態となり、信号レベルが−７９ｄＢｍより小さいときには増幅動作がオン状態となるように動作し、利得一定で受信信号ＩＮを増幅する。この回路では、バイパススイッチ回路１０２がオンの状態では、利得がないため、＋１０ｄＢｍ以上のＩＩＰ３特性を示し、−７９ｄＢｍの性能を満足する。
【０００６】
【発明が解決しようとする課題】
しかしながら、図５に示した回路では、バイパススイッチ回路１０２が高周波増幅回路１０１に並列に接続されていると共に、特に、バイパススイッチ回路１０２が、高周波増幅回路１０１に対してディスクリート部品で構成されているので、高周波増幅回路１０１の増幅動作時における利得やＮＦ（Noise Figure: 雑音指数）の性能のばらつきが大きくなるという問題がある。
【０００７】
また、図５に示した回路では、−９０ｄＢｍにおける性能を充分に満足できないという問題がある。すなわち、高周波増幅回路１０１における利得一定の動作では、動作電流をかなり大きく設定しても、現状の入手可能なデバイスでは、−９０ｄＢｍにおける性能を充分に満足できない。また、信号レベルが−９０ｄＢｍのときに、バイパススイッチ回路１０２をオン状態にした場合には、受信信号ＩＮの信号レベルが小さい状態であるため、充分な感度が達成されない。
【０００８】
上述のように従来のＬＮＡ回路は、利得一定のアンプとバイパススイッチ回路で構成しているため、−９０ｄＢｍにおけるひずみ特性を満足していない。また、バイパススイッチ回路１０２がディスクリート部品で構成されていたため、感度にバラツキが起こりやすく、バイパススイッチ回路１０２が正帰還素子のふるまいをして、異常発振が起こるという問題がある。
【０００９】
そこで、−９０ｄＢｍにおける性能を満足するために、例えば、特開平11-196015 号公報では、高周波増幅回路１０１として、ＡＧＣ（Automatic Gain Control: 自動利得制御）機能付きの利得可変増幅回路を適用した回路が提案されている。この公報記載の発明では、受信レベルに応じて利得を可変的に制御することにより、−９０ｄＢｍにおける性能を満足することができる。しかしながら、この公報では、利得可変増幅回路とバイパススイッチ回路とを具体的にどのような回路で構成するかについての言及がなく、実現性に乏しいという問題がある。
【００１０】
本発明はかかる問題点に鑑みてなされたもので、その目的は、受信信号の信号レベル全域において、ひずみ特性の優れた性能を実現することができるようにした利得可変増幅回路および通信機器を提供することにある。
【００１１】
【課題を解決するための手段】
請求項１記載の利得可変増幅回路は、受信信号が入力される入力端子と、エミッタ端子が入力端子に接続され、入力端子を介して入力された高周波の受信信号を増幅する増幅用トランジスタと、ベース端子が増幅用トランジスタのベース端子に接続されることにより増幅用トランジスタと共にカレントミラー回路を形成し、増幅用トランジスタの動作電流を制御するための第１の制御用トランジスタと、増幅用トランジスタに並列接続されると共に、エミッタ端子が入力端子に接続され、入力端子を介して入力された受信信号の信号レベルに応じて、増幅用トランジスタに入力される受信信号の割合を変化させる分流用トランジスタと、ベース端子が分流用トランジスタのベース端子に接続されることにより分流用トランジスタと共にカレントミラー回路を形成し、分流用トランジスタの動作電流を制御するための第２の制御用トランジスタと、増幅用トランジスタに並列接続されると共に、エミッタ端子が増幅用トランジスタおよび分流用トランジスタのエミッタ端子と共に入力端子に接続され、入力端子を介して入力された受信信号の信号レベルに応じてオン・オフ制御され、増幅用トランジスタに対する受信信号の信号経路を切り換えるためのスイッチング素子として機能するバイパス用トランジスタとを備えたものである。
【００１２】
この利得可変増幅回路では、増幅用トランジスタによって、入力された高周波の受信信号が増幅される。このとき、増幅用トランジスタに入力される受信信号の割合は、受信信号の信号レベルに応じて、増幅用トランジスタに並列接続された分流用トランジスタによって変化させられる。また、増幅用トランジスタに並列接続されたスイッチング素子によって、受信信号の信号レベルに応じて、増幅用トランジスタに対する受信信号の信号経路が切り換えられる。
【００１３】
請求項２記載の利得可変増幅回路は、請求項１記載の利得可変増幅回路において、更に、外部から入力された制御用信号に基づいて、受信信号の信号レベルに応じて各トランジスタおよびスイッチング素子の動作制御を行う制御回路を備え、制御回路が、スイッチング素子がオン状態のときに、増幅用トランジスタおよび分流用トランジスタに対して受信信号が非入力状態となり、スイッチング素子がオフ状態のときに、増幅用トランジスタおよび分流用トランジスタに対して受信信号が入力状態となるように、各トランジスタおよびスイッチング素子の動作制御を行うようにしたものである。
【００１４】
この利得可変増幅回路では、制御回路によって、外部から入力された制御用信号に基づいて、受信信号の信号レベルに応じて、スイッチング素子がオン状態のときに、増幅用トランジスタおよび分流用トランジスタに対して受信信号が非入力状態となり、スイッチング素子がオフ状態のときに、増幅用トランジスタおよび分流用トランジスタに対して受信信号が入力状態となるように、各トランジスタおよびスイッチング素子の動作制御が行われる。
【００１５】
請求項３記載の利得可変増幅回路は、請求項２記載の利得可変増幅回路において、制御回路が、受信信号の信号レベルが所定値より小さいときに、スイッチング素子がオフ状態となり、受信信号の信号レベルが所定値以上のときに、スイッチング素子がオン状態になるように、スイッチング素子の動作制御を行うようにしたものである。
【００１６】
この利得可変増幅回路では、制御回路によって、受信信号の信号レベルが所定値より小さいときに、スイッチング素子がオフ状態となり、受信信号の信号レベルが所定値以上のときに、スイッチング素子がオン状態になるように、スイッチング素子の動作制御が行われる。
【００１７】
請求項４記載の利得可変増幅回路は、請求項２記載の利得可変増幅回路において、制御回路が、外部から入力された第１の制御用信号に基づいて、第１の制御用トランジスタおよび第２の制御用トランジスタに流れる電流を制御することにより、増幅用トランジスタの利得制御を行う第１の制御回路と、スイッチング素子としてのバイパス用トランジスタのベース端子に接続され、外部から入力された第２の制御用信号に基づいて、バイパス用トランジスタのベース端子に入力する電流を制御することによりスイッチング素子をオン・オフ制御する第２の制御回路とを有したものである。
【００１８】
この利得可変増幅回路では、第１の制御回路によって、外部から入力された第１の制御用信号に基づいて、増幅用トランジスタの利得制御が行われる。また、第２の制御回路によって、外部から入力された第２の制御用信号に基づいて、スイッチング素子がオン・オフ制御される。
【００１９】
請求項５記載の利得可変増幅回路は、請求項１記載の利得可変増幅回路において、増幅用トランジスタのベース端子を、高周波的に接地するようにしたものである。
【００２０】
請求項６記載の利得可変増幅回路は、請求項１記載の利得可変増幅回路において、増幅用トランジスタおよび分流用トランジスタに流れる動作電流の和を、一定の通信環境下にある限りにおいて、受信信号の信号レベルの変化に関わらず一定に保つようにしたものである。
【００２１】
この利得可変増幅回路では、増幅用トランジスタおよび分流用トランジスタに流れる動作電流の和が、一定の通信環境下にある限りにおいて、受信信号の信号レベルの変化に関わらず一定に保たれる。
【００２２】
請求項７記載の利得可変増幅回路は、請求項６記載の利得可変増幅回路において、増幅用トランジスタおよび分流用トランジスタに流れる動作電流の和を、妨害信号の有無を含む通信環境の違いに応じて変化させるようにしたものである。
【００２３】
この利得可変増幅回路では、動作電流の和が、妨害信号の有無を含む通信環境の違いに応じて変化させられる。
【００２４】
請求項８記載の通信機器は、受信信号に対する信号処理を行う受信装置と、受信装置に入力された高周波の受信信号を可変的に増幅する利得可変増幅回路とを備えた通信機器であって、利得可変増幅回路が、受信信号が入力される入力端子と、エミッタ端子が入力端子に接続され、入力端子を介して入力された高周波の受信信号を増幅する増幅用トランジスタと、ベース端子が増幅用トランジスタのベース端子に接続されることにより増幅用トランジスタと共にカレントミラー回路を形成し、増幅用トランジスタの動作電流を制御するための第１の制御用トランジスタと、増幅用トランジスタに並列接続されると共に、エミッタ端子が入力端子に接続され、入力端子を介して入力された受信信号の信号レベルに応じて、増幅用トランジスタに入力される受信信号の割合を変化させる分流用トランジスタと、ベース端子が分流用トランジスタのベース端子に接続されることにより分流用トランジスタと共にカレントミラー回路を形成し、分流用トランジスタの動作電流を制御するための第２の制御用トランジスタと、増幅用トランジスタに並列接続されると共に、エミッタ端子が増幅用トランジスタおよび分流用トランジスタのエミッタ端子と共に入力端子に接続され、入力端子を介して入力された受信信号の信号レベルに応じてオン・オフ制御され、増幅用トランジスタに対する受信信号の信号経路を切り換えるためのスイッチング素子として機能するバイパス用トランジスタとを備えたものである。
【００２５】
この通信機器では、利得可変増幅回路における増幅用トランジスタによって、入力された高周波の受信信号が増幅される。このとき、増幅用トランジスタに入力される受信信号の割合は、受信信号の信号レベルに応じて、増幅用トランジスタに並列接続された分流用トランジスタによって変化させられる。また、増幅用トランジスタに並列接続されたスイッチング素子によって、受信信号の信号レベルに応じて、増幅用トランジスタに対する受信信号の信号経路が切り換えられる。
【００２６】
【発明の実施の形態】
以下、本発明の実施の形態について図面を参照して詳細に説明する。
【００２７】
図１は、本発明の一実施の形態に係る通信機器としての携帯電話機の構成を示すブロック図である。なお、図では、携帯電話機の一構成例として、ＣＤＭＡ方式とＦＭ方式のデュアルモードを有するものについて、高周波信号を扱う部分を中心に示している。この図に示した携帯電話機は、送信信号に対する信号処理を行う送信（ＴＸ）系回路１と、受信信号に対する信号処理を行う受信（ＲＸ）系回路２と、送信系回路１に対して処理すべき送信信号を変調して出力すると共に、受信系回路２において処理された受信信号が入力されるモデム３と、送信信号および受信信号の分離を行うデュプレクサ４と、送信すべき信号電波の放射を行うと共に、図示しない基地局からの信号電波を受信する共用アンテナ５とを備えている。
【００２８】
ここで、受信系回路２が、本発明における「受信装置」の一具体例に対応する。
【００２９】
送信系回路１は、モデム３から出力されたベースバンド送信信号をＱＰＳＫ（Quadrature Phase Shift Keying ：４相位相シフト）変調してＩＦ（Intermediate Frequency：中間周波数）信号を出力するＱＰＳＫ変調回路１１と、ＡＧＣ機能を有し、ＩＦ信号を送信側ＩＦ用ＡＧＣ電圧（利得制御電圧）ＶTX-AGCに応じて可変的に増幅する送信側ＩＦ増幅回路１２と、増幅されたＩＦ信号を、局部発振器１６からの局部発振信号と混合してＲＦ（Radio Frequency ：高周波）信号に変換して出力するミキサ１３と、ＲＦ信号に含まれる不要信号成分を除去するためのバンドパスフィルタ１４と、バンドパスフィルタ１４から出力されたＲＦ信号を増幅してデュプレクサ４に出力するパワーアンプ（ＰＡ）１５とを備えている。
【００３０】
受信系回路２は、ＡＧＣ機能を有し、デュプレクサ４を介して入力されたＲＦ信号をＲＦ用ＡＧＣ電圧ＶL-AGC に応じて可変的に増幅するローノイズアンプ（ＬＮＡ）２１と、ＲＦ信号に含まれる不要信号成分を除去するためのバンドパスフィルタ２２と、ＲＦ信号を局部発振器１６からの局部発振信号と混合してＩＦ信号に変換するためのミキサ２３と、入力されたＩＦ信号をＣＤＭＡ用の信号成分に変換するためのＣＤＭＡ用バンドパスフィルタ２４と、入力されたＩＦ信号をＦＭ用の信号成分に変換するためのＦＭ用バンドパスフィルタ２５と、選択的に入力されたＣＤＭＡ用の受信信号およびＦＭ用のＩＦ信号を受信側ＩＦ用ＡＧＣ電圧（利得制御電圧）ＶRX-AGCに応じて可変的に増幅する受信側ＩＦ増幅回路２６と、ＣＤＭＡ用バンドパスフィルタ２４およびＣＤＭＡ用バンドパスフィルタ２４を選択的に受信側ＩＦ増幅回路２６に接続する切り換えスイッチ２８と、受信側ＩＦ増幅回路２６で増幅された受信信号をＱＰＳＫ復調するためのＱＰＳＫ復調回路２７とを備えている。
【００３１】
受信系回路２は、更に、ＡＧＣ電圧ＶL-AGC ，ＶRX-AGCおよび切り換え制御信号ＶSWを発生し、ローノイズアンプ２１と受信側ＩＦ増幅回路２６とにおける利得を制御する受信用制御電圧発生回路４０を備えている。
【００３２】
ここで、ローノイズアンプ２１が、本発明における「利得可変増幅回路」の一具体例に対応する。また、ＲＦ用ＡＧＣ電圧ＶL-AGC および切り換え制御信号ＶSWが、本発明における「制御用信号」の一具体例に対応する。
【００３３】
モデム３は、入力された受信信号の強度（受信強度）を検出するための受信信号強度検出回路（ＲＳＳＩ）３３と、受信強度と強度基準データＤ１１とを比較し、その差分を示す信号を出力する比較回路３４と、ＩＦ用ＡＧＣ電圧ＶTX-AGCを発生し、送信側ＩＦ増幅回路１２の利得を制御する送信用制御電圧発生回路３５とを備えている。
【００３４】
比較回路３４からの差分を示す信号は、受信用制御電圧発生回路４０に出力されるようになっている。また、比較回路３４からの差分を示す信号は、送信出力補正回路３５にも出力される。送信出力補正回路３５は、比較回路３４から入力された差分を示す信号と、別途入力された送信出力補正データＤ１２とに基づいて、ＩＦ用ＡＧＣ電圧ＶTX-AGCを出力して送信側ＩＦ増幅回路２６の利得を制御するようになっている。受信用制御電圧発生回路４０は、比較回路３４からの信号によって示される差分が「０」になるように、ＩＦ用ＡＧＣ電圧ＶRX-AGCを出力して受信側ＩＦ増幅回路２６の利得を制御するようになっている。また、受信用制御電圧発生回路４０は、比較回路３４からの信号に応じて、ＲＦ用ＡＧＣ電圧ＶL-AGC および切り換え制御信号ＶSWを発生し、ローノイズアンプ２１の利得を制御するようになっている。
【００３５】
ここで、本実施の形態における携帯電話機は、実質的な通信の有無に関わらず、受信信号の信号レベルの検出を行うために常時動作状態にある。なお、ここでいう「実質的な通信」とは、通話を伴う通信のことをいう。また、本実施の形態において、「受信信号」には、着信を伴わない単なる信号レベルのチェック用の信号も含まれるものとする。
【００３６】
図２は、本発明の特徴部分であるローノイズアンプ２１の構成例を示す回路図である。この図に示したローノイズアンプ２１は、入力信号ＩＮ（ＲＦ信号）を可変的に増幅可能な可変増幅回路４１と、受信信号の信号レベル等に応じて可変増幅回路４１における利得の制御を行うコントロール回路部４２とを備えている。コントロール回路部４２は、可変増幅回路４１における利得の制御を行うためのＡＧＣコントロール回路４３と、可変増幅回路４１における入力信号ＩＮの信号経路の制御を行うバイパスコントロール回路４４とを有している。この図に示したローノイズアンプ２１には、入力端子５４を介して入力信号ＩＮが入力されるようになっている。また、ローノイズアンプ２１には、コントロール回路部４２の入力端子５２を介して受信用制御電圧発生回路４０（図１）からのＲＦ用ＡＧＣ電圧ＶL-AGC （第１の制御用信号）が入力され、入力端子５１を介して受信用制御電圧発生回路４０からの切り換え制御信号ＶSW（第２の制御用信号）が入力されるようになっている。更に、ローノイズアンプ２１においては、出力端子５６を介して可変増幅回路４１によって増幅された出力信号ＯＵＴが出力されるようになっている。なお、同図に示した回路には、複数のトランジスタが含まれるが、ここでは各トランジスタをバイポーラ型のトランジスタで構成した例について説明する。
【００３７】
なお、ここで、コントロール回路部４２が、本発明における「制御回路」の一具体例に対応する。また、ＡＧＣコントロール回路４３が、本発明における「第１の制御回路」の一具体例に対応し、バイパスコントロール回路４４が、本発明における「第２の制御回路」の一具体例に対応する。
【００３８】
まず、可変増幅回路４１の構成について説明する。可変増幅回路４１は、入力信号ＩＮを増幅する増幅用トランジスタＴ１と、増幅用トランジスタＴ１と共にカレントミラー回路６３を形成し、増幅用トランジスタＴ１の動作電流Ｉ１を制御するための制御用トランジスタＴ２と、増幅用トランジスタＴ１に並列接続されると共に、受信信号の信号レベルに応じて増幅用トランジスタＴ１に入力される入力信号ＩＮの割合を変化させる分流用トランジスタＴ３と、分流用トランジスタＴ３と共にカレントミラー回路６２を形成し、分流用トランジスタＴ３の動作電流Ｉ３を制御するための制御用トランジスタＴ４と、増幅用トランジスタＴ１に並列接続されると共に、コントロール回路部４２からの制御電流ＩSWによって受信信号の信号レベルに応じてオン／オフ制御され、入力信号ＩＮの信号経路を切り換えるスイッチング素子としてのバイパス用トランジスタＴ５とを有している。可変増幅回路４１は、更に、抵抗Ｒ１〜Ｒ３と、コンデンサＣ２，Ｃ３，Ｃ４とを有している。トランジスタＴ１，Ｔ２，Ｔ３，Ｔ４は、カレントミラー回路を応用しているので、ＩＣ（integrated circuit: 集積回路）技術により、同一のシリコン基板上に形成可能である。
【００３９】
この可変増幅回路４１において、カレントミラー回路６３を形成する一対のトランジスタＴ１，Ｔ２のベース端子は、互いのベース端子に共通接続されている。また、トランジスタＴ１，Ｔ２のベース端子は、コントロール回路部４２のＡＧＣコントロール回路４３に接続されている。更に、トランジスタＴ１，Ｔ２のベース端子は、コンデンサＣ２の一端側に接続されている。コンデンサＣ２の他端側は接地されており、トランジスタＴ１，Ｔ２を高周波的に接地している。コンデンサＣ２の容量値は、例えば２Ｇｈｚの高周波動作では、３〜５ｐＦ程度に設定される。
【００４０】
制御用トランジスタＴ２のコレクタ端子は、自身のベース端子にダイオード接続されている。また、制御用トランジスタＴ２のエミッタ端子は、接地されている。一方、増幅用トランジスタＴ１のエミッタ端子は、分流用トランジスタＴ３のエミッタ端子と、バイパス用トランジスタＴ５のエミッタ端子とに接続されている。増幅用トランジスタＴ１のエミッタ端子は、また、入力信号ＩＮが入力される入力端子５４と、ＤＣバイアス用に設けられたインダクタンスＬ２の一端側に接続されている。インダクタンスＬ２の他端側は接地されている。また、増幅用トランジスタＴ１のコレクタ端子は、コンデンサＣ４，Ｃ１の一端と、インダクタンスＬ１の一端とに接続されている。増幅用トランジスタＴ１には、カレントミラー回路６３を形成する制御用トランジスタＴ２に流れる電流Ｉ２に比例した値の電流Ｉ１が流れるようになっている。
【００４１】
なお、コンデンサＣ１とインダクタンスＬ１は、増幅用トランジスタＴ１のインピーダンス・マッチング用に設けられたものである。インダクタンスＬ１の他端は、電源電圧Ｖｃｃが印加される入力端子５５に接続されている。コンデンサＣ１の他端は、ＳＡＷ（Surface Acoustic Waves：表面弾性波）フィルタ４４の入力側に接続されている。可変増幅回路４１において、端子５４から入力された入力信号ＩＮは、増幅用トランジスタＴ１で増幅され、インダクタンスＬ１およびコンデンサＣ１を介して、ＳＡＷフィルタ４４の入力側へ伝達されるようになっている。ＳＡＷフィルタ４４の出力側は、出力端子５６に接続されている。
【００４２】
また、可変増幅回路４１において、カレントミラー回路６２を形成する一対のトランジスタＴ３，Ｔ４のベース端子は、互いのベース端子に共通接続されている。また、トランジスタＴ３，Ｔ４のベース端子は、コントロール回路部４２のＡＧＣコントロール回路４３に接続されている。更に、トランジスタＴ３，Ｔ４のベース端子は、コンデンサＣ３の一端側に接続されている。コンデンサＣ３の他端側は接地されており、トランジスタＴ３，Ｔ４を高周波的に接地している。コンデンサＣ３の容量値は、コンデンサＣ２と同様に、例えば２Ｇｈｚの高周波動作では、３〜５ｐＦ程度に設定される。
【００４３】
制御用トランジスタＴ４のコレクタ端子は、自身のベース端子にダイオード接続されている。また、制御用トランジスタＴ４のエミッタ端子は、接地されている。分流用トランジスタＴ３のエミッタ端子は、増幅用トランジスタＴ１のエミッタ端子と、バイパス用トランジスタＴ５のエミッタ端子とに接続されている。分流用トランジスタＴ３のエミッタ端子は、また、増幅用トランジスタＴ１のエミッタ端子と共に、入力信号ＩＮが入力される入力端子５４と、ＤＣバイアス用に設けられたインダクタンスＬ２の一端側とに接続されている。また、分流用トランジスタＴ３のコレクタ端子は、電源電圧Ｖｃｃが印加される入力端子５５とインダクタンスＬ１の他端との間に接続されている。入力端子５５とインダクタンスＬ１の他端との間には、また、コンデンサＣ５の一端側が接続されている。コンデンサＣ５の他端側は接地されている。
【００４４】
分流用トランジスタＴ３には、カレントミラー回路６２を形成する制御用トランジスタＴ４に流れるコレクタ電流Ｉ４に比例した値のコレクタ電流Ｉ３が流れるようになっている。ここで、分流用トランジスタＴ３に電流Ｉ３が流れていると、入力端子５４に入力された入力信号ＩＮは、増幅用トランジスタＴ１のみならず分流用トランジスタＴ３にも分流して流れ、増幅用トランジスタＴ１の利得を低下させるようになっている。従って、可変増幅回路４１においては、増幅用トランジスタＴ１と分流用トランジスタＴ３に流れる電流の電流比によって、増幅用トランジスタＴ１の利得が変わることになる。本実施の形態におけるローノイズアンプ２１のＡＧＣ機能は、この増幅用トランジスタＴ１と分流用トランジスタＴ３に流れる電流の電流比を利用している。
【００４５】
なお、可変増幅回路４１において、増幅用トランジスタＴ１と分流用トランジスタＴ３は、例えば同一セルサイズで構成されている。また、トランジスタＴ２とトランジスタＴ４も、同一セルサイズで構成されている。制御用トランジスタＴ２，Ｔ４は、それぞれトランジスタＴ１，Ｔ３に対して、例えば１／１０から１／１００のセルサイズで構成されていることが望ましい。制御用トランジスタＴ２，Ｔ４のセルサイズをトランジスタＴ１，Ｔ３に対して小さく設定することにより、制御用トランジスタＴ２，Ｔ４に流す電流が少なくて済むので、少ない消費電流でトランジスタＴ１，Ｔ３の動作を制御することができる。
【００４６】
可変増幅回路４１において、バイパス用トランジスタＴ５のベース端子は、抵抗Ｒ１を介してコントロール回路部４２のバイパスコントロール回路４４に接続されており、バイパスコントロール回路４４からの制御電流ＩSWが入力されるようになっている。バイパス用トランジスタＴ５のベース端子は、また、抵抗Ｒ２の一端に接続されている。抵抗Ｒ２の他端は接地されている。バイパス用トランジスタＴ５のコレクタ端子は、コンデンサＣ４の他端に接続されている。バイパス用トランジスタＴ５のコレクタ端子とコンデンサＣ４の他端との間には、抵抗Ｒ３の一端が接続されている。抵抗Ｒ３の他端は接地されている。なお、抵抗Ｒ１，Ｒ２，Ｒ３は、バイパス用トランジスタＴ５のバイアス用に設けられたものである。また、バイパス用トランジスタＴ５のエミッタ端子は、増幅用トランジスタＴ１のエミッタ端子および分流用トランジスタＴ３のエミッタ端子と共に、入力端子５２と、インダクタンスＬ２の一端側とに接続されている。
【００４７】
ここで、バイパス用トランジスタＴ５のベース端子にバイパスコントロール回路４４からの制御電流ＩSWが入力されると、バイパス用トランジスタＴ５がオン状態となりコレクタ−エミッタ間のインピーダンスが低くなって、入力端子５４に入力された入力信号ＩＮは、バイパス用トランジスタＴ５を介して、出力端子５６側に伝達されるようになる。本実施の形態においては、このバイパス用トランジスタＴ５がオン状態のときに、トランジスタＴ１，Ｔ２，Ｔ３，Ｔ４に流れる電流がゼロとなるように電流制御し、入力信号ＩＮが増幅用トランジスタＴ１によって増幅されることなくバイパス用トランジスタＴ５を介して出力されるように設定されている。
【００４８】
このように、可変増幅回路４１は、増幅用トランジスタＴ１と分流用トランジスタＴ３に流れる電流の電流比を利用したＡＧＣ機能により、入力信号ＩＮを可変的に増幅して出力することが可能であると共に、バイパス用トランジスタＴ５のスイッチング機能により、増幅用の回路部分をバイパスするように入力信号ＩＮの信号経路を切り換え、入力信号ＩＮを増幅することなく、そのままの状態で出力することが可能となっている。
【００４９】
なお、図２では、可変増幅回路４１におけるトランジスタＴ１〜Ｔ５を、全てバイポーラトランジスタで構成した例を示しているが、トランジスタＴ１〜Ｔ５をＢｉＣＭＯＳ（Bipolar CMOS（Complementary Metal-Oxide Semiconductor ）) 回路を利用して構成することも可能である。ＢｉＣＭＯＳ回路を利用する場合には、バイパス用トランジスタＴ５をＭＯＳトランジスタで構成しても、バイポーラトランジスタと同様な動作となる。
【００５０】
次に、ＡＧＣコントロール回路４３の構成について説明する。ＡＧＣコントロール回路４３は、可変増幅回路４１に対するＡＧＣ機能を実現するための回路である。このコントロール回路４３において、ＲＦ用ＡＧＣ電圧ＶL-AGC が入力される入力端子５２は、抵抗Ｒ８０の一端に接続されている。抵抗Ｒ８０の他端は、抵抗Ｒ８１，Ｒ８２の一端に接続され、抵抗Ｒ８１，Ｒ８２と共に、トランジスタＴ１１のベース端子に接続されている。従って、トランジスタＴ１１のベース端子には、抵抗Ｒ８０を介してＲＦ用ＡＧＣ電圧ＶL-AGC が入力される。抵抗Ｒ８１の他端は接地されている。抵抗Ｒ８２の他端は、電源電圧Ｖｃｃが印加される入力端子５３に接続されている。抵抗Ｒ８０，Ｒ８１，Ｒ８２は、トランジスタＴ１１に入力されるＲＦ用ＡＧＣ電圧ＶL-AGC の範囲を調整するためのものである。
【００５１】
トランジスタＴ１１は、トランジスタＴ１２と共に差動増幅回路を形成している。トランジスタＴ１１．Ｔ１２のエミッタ端子は、電流源となるトランジスタ５３のコレクタ端子に共通接続されている。トランジスタＴ１１のコレクタ端子は、トランジスタＴ２１のコレクタ端子に接続されている。一方、トランジスタＴ１２のベース端子は、抵抗Ｒ１１の一端と抵抗Ｒ１２の一端との間に接続されている。トランジスタＴ１２のベース端子は、また、抵抗Ｒ１１を介して自身のコレクタ端子にダイオード接続されている。抵抗Ｒ１１の他端は、電源電圧Ｖｃｃが印加される入力端子５３に接続されている。抵抗Ｒ１２の他端は接地されている。
【００５２】
トランジスタＴ２１のベース端子は、トランジスタＴ２３，Ｔ２４のベース端子に共通接続されている。トランジスタＴ２１は、トランジスタＴ２３，Ｔ２４のそれぞれと、カレントミラー回路６４を形成している。トランジスタＴ２１，Ｔ２３，Ｔ２４のそれぞれのエミッタ端子は、電源電圧Ｖｃｃが印加される入力端子５３に接続されている。トランジスタＴ２３のコレクタ端子は、可変増幅回路４１の制御用トランジスタＴ２に接続されている。従って、トランジスタＴ２３に流れる電流が、可変増幅回路４１の制御用トランジスタＴ２に流れる電流Ｉ２となる。
【００５３】
トランジスタＴ２４のコレクタ端子は、トランジスタＴ６４に接続されている。トランジスタＴ６４は、トランジスタＴ６３のベース端子に接続され、トランジスタＴ６３と共にカレントミラー回路６１を形成している。トランジスタＴ６３，Ｔ６４のエミッタ端子は接地されている。トランジスタＴ６３のベース端子は、トランジスタＴ６４のベース端子に接続されると共に、自身のコレクタ端子にダイオード接続されている。
【００５４】
トランジスタＴ６３のコレクタ端子は、トランジスタＴ６２のコレクタ端子に接続されている。トランジスタＴ６２，Ｔ６３のコレクタ端子間には、可変増幅回路４１における制御用トランジスタＴ４が接続される。トランジスタＴ６２は、ベース端子がトランジスタＴ６１のベース端子に接続され、トランジスタＴ６１と共にカレントミラー回路を形成している。トランジスタＴ６２のエミッタ端子は、電源電圧Ｖｃｃが印加される入力端子５３に接続されていると共に、バイパスコントロール回路４４に接続されている。トランジスタＴ６１のエミッタ端子は、電源電圧Ｖｃｃが印加される入力端子５３に接続されている。トランジスタＴ６１のベース端子は、トランジスタＴ６２のベース端子に接続されると共に、自身のコレクタ端子にダイオード接続されている。トランジスタＴ６１のコレクタ端子は、トランジスタＴ６０のコレクタ端子に接続されている。
【００５５】
ＡＧＣコントロール回路４３は、また、抵抗Ｒ５７〜Ｒ６０と、スイッチ部ＳＷ１とを有している。抵抗Ｒ５７〜Ｒ６０の一端は、スイッチ部ＳＷ１に接続されている。抵抗Ｒ５７〜Ｒ６０の他端は、トランジスタＴ５２のコレクタ端子に共通接続されている。トランジスタＴ５２のベース端子は、自身のコレクタ端子にダイオード接続されている。トランジスタＴ５２のエミッタ端子は、トランジスタＴ５１のコレクタ端子に接続されている。トランジスタＴ５１のエミッタ端子は、接地されている。トランジスタＴ５１のベース端子は、自身のコレクタ端子にダイオード接続されている。
【００５６】
トランジスタＴ５１のベース端子は、更に、トランジスタＴ５３，Ｔ６０のベース端子に共通接続されている。トランジスタＴ５３，Ｔ６０のそれぞれのエミッタ端子は接地されている。ＡＧＣコントロール回路４３において、トランジスタＴ５３，Ｔ６０のそれぞれと、トランジスタＴ５１とで、カレントミラー回路が形成されている。
【００５７】
スイッチ部ＳＷ１は、複数のスイッチＳ１〜Ｓ４を有している。スイッチＳ１〜Ｓ４は、例えば、ＣＭＯＳ（Complementary MOS ）トランジスタ等のスイッチング素子によって構成される。スイッチＳ１〜Ｓ４は、それぞれ並列的に配置されている。スイッチＳ１〜Ｓ４の一端は、電源電圧Ｖｃｃが印加される入力端子５３に共通接続されている。抵抗Ｒ５７〜Ｒ６０は、それぞれ並列的に配置されると共に、それぞれの一端が各スイッチＳ１〜Ｓ４に接続されている。抵抗Ｒ５７〜Ｒ６０の他端は、トランジスタＴ５２のコレクタ端子に接続されている。
【００５８】
ＡＧＣコントロール回路４３において、スイッチＳ１〜Ｓ４を選択的にオン／オフ制御することにより、トランジスタＴ５１，Ｔ５２に流れる電流Ｉ５１を変更可能になっている。例えば、スイッチＳ１〜Ｓ４を全てオン状態にすると、電流Ｉ５１の値を最も大きくすることができる。また、スイッチＳ１〜Ｓ４のいずれか一つでもオフ状態になると、電流Ｉ５１の値は、スイッチＳ１〜Ｓ４が全てオン状態のときと比べて小さくなる。このように、スイッチＳ１〜Ｓ４を選択的にオン／オフ制御することにより、種々の電流値を設定可能である。なお、スイッチＳ１〜Ｓ４は、図示しない回路設定テーブルから出力された回路設定データにより、妨害信号の有無等の通信環境に基づいて、オン／オフ制御されるようになっている。
【００５９】
ここで、電流Ｉ５１を変更可能にすることにより、トランジスタＴ５１とカレントミラー回路を形成するトランジスタＴ５３のコレクタ電流Ｉ５３が変更されるので、トランジスタＴ１１に流れる電流ＩｔもスイッチＳ１〜Ｓ４を選択的にオン／オフ制御することにより変更可能である。
【００６０】
また、ＡＧＣコントロール回路４３において、トランジスタＴ６３に流れる電流Ｉ６は、後の動作説明において詳述するが、トランジスタＴ２１，Ｔ２４，Ｔ６３，Ｔ６４によって決定されるようになっており、電流Ｉｔに比例した値となる。また、トランジスタＴ６２に流れる電流Ｉ５は、トランジスタＴ６０，Ｔ６１，Ｔ６２によって決定されるようになっている。可変増幅回路４１における制御用トランジスタＴ４に流れる電流Ｉ４は、トランジスタＴ６０，Ｔ６１，Ｔ６２で決る電流Ｉ５から、トランジスタＴ２１，Ｔ２４，Ｔ６３，Ｔ６４で決る電流Ｉ６を減じた値（Ｉ５−Ｉ６）によって決定される。
【００６１】
なお、可変増幅回路４１の増幅用トランジスタＴ１および分流用トランジスタＴ３には、それぞれカレントミラー回路６３，６２を形成する制御用トランジスタＴ２，Ｔ４に流れる電流Ｉ２，Ｉ４に比例した電流Ｉ１，Ｉ３が流れるので、電流Ｉ２，Ｉ４の値を制御することで、増幅用トランジスタＴ１に流れる電流Ｉ１および分流用トランジスタＴ３に流れる電流Ｉ３を制御することができる。ここで、ＡＧＣコントロール回路４３は、制御用トランジスタＴ２，Ｔ４に流れる電流Ｉ２，Ｉ４を制御することが可能となっており、増幅用トランジスタＴ１に流れる電流Ｉ１および分流用トランジスタＴ３に流れる電流Ｉ３を制御することが可能である。また、可変増幅回路４１において、電流Ｉ１，Ｉ３の電流比によって増幅用トランジスタＴ１の利得が決定されるので、結果的にＡＧＣコントロール回路４３は、増幅用トランジスタＴ１の利得の制御を行うことが可能となる。これにより、ＡＧＣコントロール回路４３は、可変増幅回路４１に対するＡＧＣ機能を実現することが可能となっている。
【００６２】
なお、電流Ｉ１，Ｉ３と増幅用トランジスタＴ１の利得との関係については、後に図面を参照して詳述する。
【００６３】
次に、バイパスコントロール回路４４の構成について説明する。バイパスコントロール回路４４は、可変増幅回路４１におけるバイパス用トランジスタＴ５の動作を制御することが可能となっている。このバイパスコントロール回路４４は、トランジスタＴ６５，Ｔ６６，Ｔ６７と、抵抗Ｒ６１，Ｒ６３，Ｒ６４，Ｒ６５とを有している。
【００６４】
バイパスコントロール回路４４において、抵抗Ｒ６１の一端は、受信用制御電圧発生回路４０（図１）からの切り換え制御信号ＶSWが入力される入力端子５１に接続されている。抵抗Ｒ６１の他端は、トランジスタＴ６５，Ｔ６６のベース端子に共通接続されている。抵抗Ｒ６１の他端と、トランジスタＴ６５との間には、抵抗Ｒ６５の一端が接続されいる。抵抗Ｒ６５の他端とトランジスタＴ６５，Ｔ６６のエミッタ端子は接地されている。トランジスタＴ６５のコレクタ端子には、抵抗Ｒ６３の一端が接続されている。トランジスタＴ６６のコレクタ端子は、ＡＧＣコントロール回路４３のトランジスタＴ５１，Ｔ５３，Ｔ６０のベース端子に接続されている。
【００６５】
抵抗Ｒ６３の他端は、抵抗Ｒ６４の一端に接続されている。抵抗Ｒ６３の他端と抵抗Ｒ６４の一端との間には、トランジスタＴ６７のベースが接続されている。トランジスタＴ６７のエミッタ端子は、抵抗Ｒ６４の他端と、ＡＧＣコントロール回路４３におけるトランジスタＴ６２のエミッタ端子に接続されている。トランジスタＴ６７のコレクタ端子は、可変増幅回路４１における抵抗Ｒ１を介してバイパス用トランジスタＴ５のベース端子に接続されている。
【００６６】
バイパスコントロール回路４４においては、入力端子５１に入力された切り換え制御信号ＶSWによって、受信信号の信号レベルに応じてトランジスタＴ６７がオン／オフ制御され、トランジスタＴ６７に流れる電流ＩSWが制御されるようになっている。ここで、電流ＩSWは、可変増幅回路４１のバイパス用トランジスタＴ５のベース端子に入力されるので、結果的に、制御信号ＶSWによってバイパス用トランジスタＴ５をオン／オフ制御することが可能となる。なお、バイパスコントロール回路４４によるバイパス用トランジスタＴ５の制御については、後の動作説明において、より詳細に説明する。また、バイパスコントロール回路４４においては、トランジスタＴ６６をオンすることにより、ＡＧＣコントロール回路４３におけるトランジスタＴ１１に流れる電流Ｉｔをゼロにし、結果的に可変増幅回路４１の増幅用トランジスタＴ１をオフ状態にするような制御を行うようになっている。
【００６７】
次に、上記のような構成の携帯電話機の動作について説明する。
【００６８】
まず、送信時の動作について説明する。モデム３により変調されたベースバンド送信信号は、まず、送信系回路１のＱＰＳＫ変調回路１１に入力される。ＱＰＳＫ変調回路１１は、ベースバンド送信信号をＱＰＳＫ変調して、例えば、１３０ＭＨｚのＩＦ信号に変換し、送信側ＩＦ増幅回路１２に出力する。次に、送信側ＩＦ増幅回路１２は、ＩＦ信号を増幅し、ミキサ１３に出力する。ミキサ１３は、増幅されたＩＦ信号を局部発振器１６からの局部発振信号と混合し、例えば、８００ＭＨｚのＲＦ信号に変換して、バンドパスフィルタ１４に出力する。バンドパスフィルタ１４は、ＲＦ信号に含まれる不要信号成分を除去した後、パワーアンプ１５に出力する。パワーアンプ１５は、不要信号成分が除去されたＲＦ信号を増幅して、デュプレクサ４に出力する。デュプレクサ４に出力されたＲＦ信号は、共用アンテナ５から空間中に放射される。
【００６９】
次に、受信時の動作について説明する。共用アンテナ５によって捕捉された信号電波は、デュプレクサ４を介して、電気的なＲＦ信号に変換され、受信系回路２のローノイズアンプ２１に出力される。ローノイズアンプ２１は、入力されたＲＦ信号を可変的な利得で増幅し、バンドパスフィルタ２２に出力する。バンドパスフィルタ２２は、ＲＦ信号に含まれる不要信号成分を除去した後、ミキサ２３ａに出力する。ミキサ２３は、ＲＦ信号を局部発振器１６からの局部発振信号と混合し、例えば、８５ＭＨｚのＩＦ信号に変換して、ＣＤＭＡ用バンドパスフィルタ２４とＦＭ用バンドパスフィルタ２５とに出力する。ＣＤＭＡ用バンドパスフィルタ２４およびＦＭ用バンドパスフィルタ２５は、それぞれ入力されたＩＦ信号を、ＣＤＭＡ用の信号成分、ＦＭ用の信号成分に変換する。ＣＤＭＡ用バンドパスフィルタ２４およびＦＭ用バンドパスフィルタ２５によって変換されたＣＤＭＡ用の受信信号およびＦＭ用の受信信号は、切り換えスイッチ２８の作用により、設定モードに応じて、いずれか一方の信号成分のみが、次段の受信側ＩＦ増幅回路２６に選択的に出力される。受信側ＩＦ増幅回路２６は、選択的に入力されたＣＤＭＡ用の受信信号またはＦＭ用の受信信号を増幅し、ＱＰＳＫ復調回路２７に出力する。ＱＰＳＫ復調回路２７は、増幅された受信信号をＱＰＳＫ復調してモデム３に出力する。
【００７０】
モデム３内に入力された受信信号は、受信信号強度検出回路３３によってその受信強度（信号レベル）が検出される。受信信号強度検出回路３３によって検出された受信強度を示す信号は、比較回路３４に出力される。比較回路３４は、受信強度と、別途入力された強度基準データＤ１１とを比較し、その差分を示す信号を受信用制御電圧発生回路４０および送信出力補正回路３５に出力する。受信用制御電圧発生回路４０は、比較回路３４からの信号によって示された差分が「０」になるように、すなわち受信信号強度検出回路３３の出力が強度基準データＤ１１と一致するようにＩＦ用ＡＧＣ電圧ＶRX-AGCを出力して受信側ＩＦ増幅回路２６の利得を制御する。また、受信用制御電圧発生回路４０は、比較回路３４からの信号に基づいて、ローノイズアンプ２１の利得を制御するためのＲＦ用ＡＧＣ電圧ＶL-AGC およびローノイズアンプ２１内におけるＲＦ信号の経路を切り換えるための切り換え制御信号ＶSWを発生する。
【００７１】
送信出力補正回路３５は、比較回路３４から入力された差分を示す信号と、別途入力された送信出力補正データＤ１２とに基づいて、送信側ＩＦ増幅回路１２の利得を制御する。なお、送信出力補正データＤ１２は、携帯電話機と図示しない基地局との間の回線状況に応じたデータである。また、送信出力補正回路３５による利得の制御は、被変調信号が受信信号のレベルに逆比例するように、且つ、送信出力補正データＤ１２に応じた制御がなされるように送信側ＩＦ増幅回路１２にＩＦ用ＡＧＣ電圧ＶTX-AGCを出力することにより行われる。
【００７２】
次に、本発明の特徴部分であるローノイズアンプ２１の動作について説明する。
【００７３】
図２に示したローノイズアンプ２１において、入力端子５４から入力された入力信号ＩＮ（ＲＦ信号）は、可変増幅回路４１の増幅用トランジスタＴ１で増幅される。増幅用トランジスタＴ１で増幅された信号は、インピーダンス・マッチング用に設けられたインダクタンスＬ１およびコンデンサＣ１を介して、ＳＡＷ４４へ伝達され、出力端子５６から出力される。
【００７４】
可変増幅回路４１において、増幅用トランジスタＴ１には、カレントミラー回路６３を形成する制御用トランジスタＴ２に流れる電流Ｉ２に比例した値の電流Ｉ１が流れる。また、可変増幅回路４１において、分流用トランジスタＴ３には、カレントミラー回路６２を形成する制御用トランジスタＴ４に流れる電流Ｉ４に比例した値の電流Ｉ３が流れる。ここで、分流用トランジスタＴ３に電流Ｉ３が流れていると、入力端子５４に入力された入力信号ＩＮは、増幅用トランジスタＴ１のみならず分流用トランジスタＴ３にも分流して流れ、増幅用トランジスタＴ１の利得を低下させる。従って、可変増幅回路４１においては、増幅用トランジスタＴ１と分流用トランジスタＴ３に流れる電流Ｉ１，Ｉ３の電流比によって、増幅用トランジスタＴ１の利得が変化する。なお、制御用トランジスタＴ２，Ｔ４に流れる電流Ｉ２，Ｉ４の値は、後述のように、コントロール回路部４２によって決定される。
【００７５】
また、可変増幅回路４１において、スイッチング素子としてのバイパス用トランジスタＴ５は、バイパスコントロール回路４４からの制御電流ＩSWによって、オン／オフ制御される。バイパス用トランジスタＴ５のベース端子に、制御電流ＩSWが入力されると、バイパス用トランジスタＴ５がオン状態となりコレクタ−エミッタ間のインピーダンスが低くなって、入力端子５４に入力された入力信号ＩＮが、バイパス用トランジスタＴ５を介して出力端子５６側に伝達される。ここで、バイパス用トランジスタＴ５がオン状態のときには、バイパスコントロール回路４４による電流制御により、制御用トランジスタＴ２，Ｔ４に流れる電流Ｉ２，Ｉ４がゼロとなり、トランジスタＴ１，Ｔ３に流れる電流がゼロとなる。これにより、バイパス用トランジスタＴ５がオン状態のときには、入力信号ＩＮが増幅用トランジスタＴ１によって増幅されることなくバイパス用トランジスタＴ５をバイパスして出力される。
【００７６】
このように、可変増幅回路４１では、増幅用トランジスタＴ１と分流用トランジスタＴ３に流れる電流の電流比を利用したＡＧＣ機能により、入力信号ＩＮを可変的に増幅して出力することが可能とされると共に、バイパス用トランジスタＴ５のスイッチング機能により、増幅用の回路部分をバイパスするように入力信号ＩＮの経路を切り換え、入力信号ＩＮを増幅することなく、そのままの状態で出力することが可能とされる。
【００７７】
ローノイズアンプ２１において、受信用制御電圧発生回路４０（図１）からのＲＦ用ＡＧＣ電圧ＶL-AGC は、ＡＧＣコントロール回路４３における入力端子５２および抵抗Ｒ８０を介して、トランジスタＴ１１に入力される。トランジスタＴ１１は、トランジスタＴ１２と共に差動増幅回路を形成しており、ＲＦ用ＡＧＣ電圧ＶL-AGC が入力されると、差動増幅回路の電圧／電流変換作用により、トランジスタＴ１１に、ＲＦ用ＡＧＣ電圧ＶL-AGC の大きさに応じた電流Ｉｔが流れる。ＡＧＣコントロール回路４３では、トランジスタＴ１１に流れる電流Ｉｔが、ＲＦ用ＡＧＣ電圧ＶL-AGC に対して指数関数的に制御される。
【００７８】
ＡＧＣコントロール回路４３において、トランジスタＴ２１とトランジスタＴ２３は、カレントミラー回路を形成しているので、トランジスタＴ２３から可変増幅回路４１の制御用トランジスタＴ２に流れる電流Ｉ２は、トランジスタＴ２１に流れる電流Ｉｔに流れる電流に比例した値となる。ここで、前述のように、増幅用トランジスタＴ１には、制御用トランジスタＴ２に流れる電流Ｉ２に比例した値の電流Ｉ１が流れるので、電流Ｉｔを制御することで、結果的に、増幅用トランジスタＴ１に流れる電流Ｉ１が制御される。ここで、ローノイズアンプ２１では、トランジスタＴ１１に流れる電流Ｉｔが、ＲＦ用ＡＧＣ電圧ＶL-AGC に対して指数関数的に制御されているので、可変増幅回路４１における利得は、ＲＦ用ＡＧＣ電圧ＶL-AGC の直線的な変化に応じて直線的に変化する。
【００７９】
また、ＡＧＣコントロール回路４３において、トランジスタＴ２１, Ｔ２４およびトランジスタＴ６３, Ｔ６４は、それぞれカレントミラー回路を形成しているので、トランジスタＴ２４，Ｔ６４に流れる電流Ｉ２４が、トランジスタＴ２１に流れる電流Ｉｔに比例した値となり、トランジスタＴ６３に流れる電流Ｉ６が、電流Ｉ２４に比例した値となる。このように、トランジスタＴ６３に流れる電流Ｉ６は、トランジスタＴ２１，Ｔ２４，Ｔ６３，Ｔ６４によって決定され、結果的に、電流Ｉｔに比例した値となる。また、トランジスタＴ６２に流れる電流Ｉ５は、トランジスタＴ６０，Ｔ６１，Ｔ６２によって決定される。可変増幅回路４１における制御用トランジスタＴ４に流れる電流Ｉ４は、以上のように決定される電流Ｉ５から、電流Ｉ６を減じた値（Ｉ５−Ｉ６）によって決定される。
【００８０】
また、ＡＧＣコントロール回路４３において、スイッチ部ＳＷ１のスイッチＳ１〜Ｓ４を選択的にオン／オフ制御することにより、トランジスタＴ５１，Ｔ５２に流れる電流Ｉ５１が変更される。例えば、スイッチＳ１〜Ｓ４を全てオン状態にすると、電流Ｉ５１の値が最も大きくなる。また、例えばスイッチＳ１〜Ｓ４のいずれか一つでもオフ状態になると、電流Ｉ５１の値は、スイッチＳ１〜Ｓ４が全てオン状態のときと比べて小さくなる。このように、スイッチＳ１〜Ｓ４を選択的にオン／オフ制御することにより、電流Ｉ５１の値は種々の値に変更される。
【００８１】
ここで、電流Ｉ５１が変更されると、トランジスタＴ５１と共にカレントミラー回路を形成しているトランジスタＴ５３のコレクタ電流Ｉ５３が変更されるので、トランジスタＴ１１に流れる電流Ｉｔが変更される。このように、トランジスタＴ１１に流れる電流Ｉｔの値は、スイッチ部ＳＷ１のスイッチＳ１〜Ｓ４を選択的にオン／オフ制御することにより、受信信号のレベル等に応じて適宜変更される。なお、スイッチＳ１〜Ｓ４は、受信信号のレベルに応じてオン／オフ制御されると共に、図示しない回路設定テーブルから出力された回路設定データにより、周囲の温度、送信動作の有無または妨害電波の有無等の通信環境に基づいて、オン／オフ制御される。図示しない回路設定テーブルから出力される回路設定データは、スイッチＳ１〜Ｓ４のオン／オフ状態を指示するシリアルデータである。
【００８２】
また、トランジスタＴ１１に流れる電流Ｉｔが変更されると、最終的に、可変増幅回路４１のトランジスタＴ１，Ｔ３に流れる電流Ｉ１，Ｉ３が変更されるので、スイッチＳ１〜Ｓ４を選択的にオン／オフ制御することにより、トランジスタＴ１の利得を制御することが可能となる。
【００８３】
バイパスコントロール回路４４では、入力端子５１に入力された受信用制御電圧発生回路４０（図１）からの切り換え制御信号ＶSWによって、受信信号の信号レベルに応じてトランジスタＴ６５，Ｔ６６，Ｔ６７がオン／オフ制御され、トランジスタＴ６７に流れる電流ＩSWが制御される。ここで、電流ＩSWは、可変増幅回路４１における抵抗Ｒ１を介してバイパス用トランジスタＴ５のベース端子に入力されるので、結果的に、制御信号ＶSWによってバイパス用トランジスタＴ５がオン／オフ制御される。より具体的には、トランジスタＴ６５，Ｔ６６，Ｔ６７は、制御信号ＶSWが“Ｈ（ハイ）”レベルのときにオンとなり、“Ｌ（ロー）”レベルのときにオフとなる。従って、制御信号ＶSWが“Ｈ”レベルのときに、電流ＩSWが流れ、バイパス用トランジスタＴ５がオンされる。また、制御信号ＶSWが“Ｌ”レベルのときには、バイパス用トランジスタＴ５がオフされる。
【００８４】
また、バイパスコントロール回路４４において、トランジスタＴ６６のエミッタ端子が接地されていると共に、トランジスタＴ６６のコレクタ端子がトランジスタＴ５１，Ｔ５３，Ｔ６０のベース端子に接続されているので、トランジスタＴ６６がオンすると、トランジスタＴ５３に流れる電流Ｉ５３がゼロになり、トランジスタＴ１１に流れる電流Ｉｔがゼロになる。可変増幅回路４１の制御用トランジスタＴ２，Ｔ４に流れる電流Ｉ２，Ｉ４は、電流Ｉｔに応じて流れる電流なので、電流Ｉｔがゼロになると、電流Ｉ２，Ｉ４もゼロとなる。電流Ｉ２，Ｉ４がゼロになると、トランジスタＴ１，Ｔ３に流れる電流Ｉ１，Ｉ３がゼロになり、トランジスタＴ１，Ｔ３がオフ状態、すなわち、トランジスタＴ１，Ｔ３に対して受信信号が非入力状態となる。
【００８５】
従って、バイパスコントロール回路４４に“Ｈ”レベルの制御信号ＶSWが入力され、トランジスタＴ６６がオンすると、トランジスタＴ１１に流れる電流Ｉｔがゼロになり、これに連動してトランジスタＴ１がオフされるので、可変増幅回路４１における増幅動作は停止する。逆に、バイパスコントロール回路４４に“Ｌ”レベルの制御信号ＶSWが入力され、トランジスタＴ６６がオフすると、トランジスタＴ１１に電流Ｉｔが流れ、これに連動してトランジスタＴ１，Ｔ３にも電流が流れるので、トランジスタＴ１，Ｔ３がオン状態、すなわち、トランジスタＴ１，Ｔ３に対して受信信号が入力状態となり、可変増幅回路４１における増幅動作が行われる。
【００８６】
このように、バイパス用トランジスタＴ５がオン状態のときには、トランジスタＴ１がオフ状態となり、入力信号ＩＮが増幅用トランジスタＴ１によって増幅されることなくバイパス用トランジスタＴ５をバイパスして出力される。
【００８７】
次に、可変増幅回路４１のトランジスタＴ１，Ｔ３に流れる電流Ｉ１，Ｉ３の具体的な設定例について説明する。
【００８８】
図３は、ローノイズアンプ２１に入力されるＲＦ用ＡＧＣ電圧ＶL-AGC と、ローノイズアンプ２１の増幅用トランジスタＴ１および分流用トランジスタＴ３に流れる電流Ｉ１，Ｉ３との関係について示している。同図において、横軸はＲＦ用ＡＧＣ電圧ＶL-AGC の値を示し、縦軸は電流値を示している。なお、同図では、電流の最大値を１に規格化して、電流Ｉ１，Ｉ３の値とＡＧＣ電圧ＶL-AGC の値との関係を相対的な値で示している。本実施の形態においては、ＲＦ用ＡＧＣ電圧ＶL-AGC に対して、電流Ｉ１と電流Ｉ３との関係が、図示したような値となるように設定されている。すなわち、本実施の形態では、後述するように妨害信号等のレベルが同じであるような一定の通信環境下にある限りにおいては、電流Ｉ１と電流Ｉ３との和「Ｉ１＋Ｉ３」を、受信信号の信号レベルの変化に関わらず一定となるようにして、電流Ｉ１，Ｉ３の値を制御している。
【００８９】
このとき、ローノイズアンプ２１における利得可変量ΔＰＧは、以下の式（１）によって表される。ローノイズアンプ２１では、一定の通信環境下で、受信信号の信号レベル全域においてひずみ特性が満足できるような性能となるように、ＡＧＣコントロール回路４３におけるトランジスタＴ５１，Ｔ５２，抵抗５７〜６０の値の設定と、スイッチＳ１〜４のオン／オフ制御とを行い、電流Ｉ１と電流Ｉ３との和「Ｉ１＋Ｉ３」の最大電流が決定される。
【００９０】
ΔＰＧ＝２０１ｏｇ（Ｉ１／（Ｉ１＋Ｉ３））ｄＢ  ……（１）
【００９１】
以上のような設定条件を満足するならば、ローノイズアンプ２１の可変増幅回路４１において、「Ｉ３＝０，Ｉ１＋Ｉ３＝Ｉ１」のとき、すなわち、受信信号が増幅用トランジスタＴ１に全て流れるような状態となるときには、増幅用トランジスタＴ１の利得が最大となる。また例えば、電流Ｉ１の値が、電流Ｉ１と電流Ｉ３との和「Ｉ１＋Ｉ３」に対して１／１０のときには、増幅用トランジスタＴ１の利得は「Ｉ３＝０」の場合と比較して、約１０ｄＢ低い値となる。また例えば、電流Ｉ１の値が、電流Ｉ１と電流Ｉ３との和「Ｉ１＋Ｉ３」に対して１／１００のときには、増幅用トランジスタＴ１の利得は「Ｉ３＝０」の場合と比較して、約２０ｄＢ低い値となる。
【００９２】
次に、妨害信号の有無を含む通信環境の違いを考慮した電流Ｉ１，Ｉ３の具体的な設定例について説明する。
【００９３】
図４は、ローノイズアンプ２１に入力される受信信号の信号レベルに対する利得ＰＧと３次ひずみ特性（デバイスの性能としては入力インタセプトポイント( ＩＩＰ３) ）との関係を示した図である。同図において、横軸は受信信号の信号レベル（ｄＢｍ）を示し、縦軸はローノイズアンプ２１における利得ＰＧ( ｄＢ) と３次ひずみ特性( ｄＢｍ) とを示している。また、同図において、符号ＰＧ１で示した実線部分は、電流Ｉ１と電流Ｉ３との和「Ｉ１＋Ｉ３」を約１０ｍＡとしたときの利得の特性を示し、符号ＰＧ２で示した波線部分は、電流Ｉ１と電流Ｉ３との和「Ｉ１＋Ｉ３」を約２ｍＡとしたときの利得の特性を示している。また、同図において、符号１１０で示した実線部分は、電流Ｉ１と電流Ｉ３との和  「Ｉ１＋Ｉ３」を約１０ｍＡとしたときの３次ひずみ特性を示し、符号１２０で示した波線部分は、電流Ｉ１と電流Ｉ３との和「Ｉ１＋Ｉ３」を約２ｍＡとしたときの３次ひずみ特性を示している。
【００９４】
ローノイズアンプ２１は、受信信号の信号レベルが、所定値（例えば−８５ｄＢｍ〜−８０ｄＢｍ）より小さいときには、バイパス用トランジスタＴ５をオフにすると共に、増幅用トランジスタＴ１をオンにしてＡＧＣ機能による信号の増幅動作を行う。また、ローノイズアンプ２１は、受信信号の信号レベルが、所定値以上であるときには、バイパス用トランジスタＴ５をオンにすると共に、増幅用トランジスタＴ１をオフにして信号の増幅動作を行わない。
【００９５】
ここで、本実施の形態におけるローノイズアンプ２１では、周囲の温度、送信動作の有無または妨害信号の有無等の通信環境に基づいて、ＡＧＣコントロール回路４３におけるスイッチＳ１〜Ｓ４をオン／オフ制御することにより、電流Ｉ１と電流Ｉ３との和「Ｉ１＋Ｉ３」の大きさを制御する。例えば、大きな妨害信号があり、且つ送信動作を行っているときには、最も３次ひずみ妨害を受けやすいため、電流Ｉ１と電流Ｉ３との和「Ｉ１＋Ｉ３」の値が大きな値になるようにスイッチＳ１〜Ｓ４を設定する（例えばスイッチＳ１〜Ｓ４を全てオンにする）。また例えば、妨害信号がなく、送信を行っていないときには、ほとんど３次ひずみ妨害を受けないため、電流Ｉ１と電流Ｉ３との和「Ｉ１＋Ｉ３」の値を非常に小さく、例えば１ｍＡ程度になるようにスイッチＳ１〜Ｓ４を設定する。スイッチＳ１〜Ｓ４の制御は、図示しない回路設定テーブルから出力された所定の回路設定データにより行う。このようにローノイズアンプ２１では、ＡＧＣコントロール回路４３における基準電流を通信環境に応じて制御し、回路の消費電流が小さくなるように最適化する。
【００９６】
なお、以上で説明したローノイズアンプ２１におけるバイパス用トランジスタＴ５のオン／オフ制御と、増幅用トランジスタＴ１を用いたＡＧＣ機能による信号の増幅動作の制御は、図４に示したように、例えば、ＩＳ−９５によって規定されている性能を満足するように行う。すなわち、ローノイズアンプ２１は、図４に示したように、信号レベルが大きくなるに従って利得が減少し、所定値以上のときには、利得がゼロとなるように利得の制御を行う。このとき、電流Ｉ１と電流Ｉ３との和「Ｉ１＋Ｉ３」が小さい方が利得は小さくなる。また、ローノイズアンプ２１は、図４に示したように、信号レベルが大きくなるに従って、３次ひずみ特性の値を増加させ、所定値以上のときには、３次ひずみ特性の値が一定となるように動作電流の制御を行う。このとき、電流Ｉ１と電流Ｉ３との和「Ｉ１＋Ｉ３」が小さい方が３次ひずみ特性の値は小さくなる。
【００９７】
以上説明したように、本実施の形態によれば、増幅用トランジスタＴ１に入力される受信信号の割合を、受信信号の信号レベルに応じて、分流用トランジスタＴ３によって変化させて、増幅用トランジスタＴ１に入力して増幅することによりＡＧＣ機能を持たせると共に、増幅用トランジスタＴ１に対する受信信号の信号経路を、バイパス用トランジスタＴ５によって、受信信号の信号レベルに応じて切り換えることによりバイパス機能を持たせるようにしたので、ＡＧＣ機能と信号のバイパス機能を有する増幅回路が実現でき、ＩＳ−９５によって規定されている−１０１ｄＢｍ，−９０ｄＢｍ，−７９ｄＢｍの各信号レベルを含む受信信号の信号レベル全域において、ひずみ特性の優れた性能を実現することができる。
【００９８】
また、本実施の形態によれば、増幅用トランジスタＴ１および分流用トランジスタＴ３に流れる動作電流Ｉ１，Ｉ３の和「Ｉ１＋Ｉ３」を、一定の通信環境下にある限りにおいて、受信信号の信号レベルの変化に関わらず一定に保つと共に、その動作電流の和「Ｉ１＋Ｉ３」を、ＡＧＣコントロール回路４３におけるスイッチＳ１〜Ｓ４を適宜オン／オフ制御して、妨害信号の有無を含む通信環境の違いに応じて変化させるようにしたので、優れたひずみ特性を実現しつつ、例えば、通信環境の違いに応じて、回路の消費電流を小さくなるように最適化することが可能となる。これにより、従来の携帯電話機に比べて、電力供給源である電池の消耗を少なくすることができるので、いわゆる待ち受け時間や通話時間を従来よりも長くすることが可能になると共に、電池の交換頻度を少なくすることが可能となる。
【００９９】
また、本実施の形態によれば、ローノイズアンプ２１が、ＡＧＣ機能とバイパス機能を満足するための回路素子を１つのシリコン基板上に形成することが可能な回路構成となっているため、従来のようにバイパス回路部分をディスクリート部品で構成したときに生じるＮＦ等の性能のバラツキを小さくすることができ、生産性の向上を図ることが可能となる。
【０１００】
なお、本発明は、上記実施の形態に限定されず種々の変形実施が可能である。例えば、上記実施の形態では、ＣＤＭＡ方式およびＦＭ方式のデュアルモードで動作する場合について説明したが、本発明は、ＣＤＭＡ方式およびＦＭ方式のうちのいずれか一方の方式のみで動作する場合にも適用することが可能である。また、ＣＤＭＡ方式やＦＭ方式に限らず、例えば、ＴＤＭＡ（Time Division Multiple Access ：時間分割多元接続）方式やＦＤＭＡ(Frequency Division Multiple Access ：周波数分割多重）方式等の他の方式の通信機器にも適用することが可能である。更に、本発明の利得可変増幅回路は、通信機器に限らず、内部に利得を制御するための回路を必要とするその他の機器全般に適用可能である。
【０１０１】
また、上記実施の形態では、受信側のＩＦ増幅回路２６を、ＡＧＣ機能を有した利得可変型の増幅回路であるものとして説明したが、ＩＦ増幅回路２６を利得一定型の増幅回路で構成してもよい。
【０１０２】
【発明の効果】
以上説明したように、請求項１ないし７のいずれか１項に記載の利得可変増幅回路または請求項８記載の通信機器によれば、受信信号の割合を、受信信号の信号レベルに応じて、増幅用トランジスタに並列接続された分流用トランジスタによって変化させて、増幅用トランジスタに入力して増幅すると共に、増幅用トランジスタに対する受信信号の信号経路を、スイッチング素子によって、受信信号の信号レベルに応じて切り換えるようにしたので、受信信号の信号レベル全域において、ひずみ特性の優れた性能を実現することができるという効果を奏する。
【０１０３】
特に、請求項７記載の利得可変増幅回路によれば、請求項６記載の利得可変増幅回路において、増幅用トランジスタおよび分流用トランジスタに流れる動作電流の和を、一定の通信環境下にある限りにおいて、受信信号の信号レベルの変化に関わらず一定に保つと共に、その動作電流の和を、妨害信号の有無を含む通信環境の違いに応じて変化させるようにしたので、優れたひずみ特性を実現しつつ、例えば、通信環境の違いに応じて、回路の消費電流を小さくなるように最適化することが可能となるという効果を奏する。
【図面の簡単な説明】
【図１】本発明の一実施の形態に係る通信機器としての携帯電話機の概略構成を示すブロック図である。
【図２】図１に示した携帯電話機におけるローノイズアンプの詳細な構成例を示す回路図である。
【図３】図２に示したローノイズアンプに入力されるＲＦ用ＡＧＣ電圧と、ローノイズアンプの増幅用トランジスタおよび分流用トランジスタに流れる電流との関係について示す説明図である。
【図４】図２に示したローノイズアンプにおける受信信号の信号レベルに対する利得と３次ひずみ特性との関係を示す説明図である。
【図５】従来の増幅回路の一例を示すブロック図である。
【符号の説明】
Ｔ１  増幅用トランジスタ
Ｔ３  分流用トランジスタ
Ｔ５  バイパス用トランジスタ
１  送信系回路
２  受信系回路
３  モデム
４  デュプレクサ
５  共用アンテナ
１１  ＱＰＳＫ変調回路
１２  送信側ＩＦ増幅回路
１５  パワーアンプ（ＰＡ）
１６  局部発振器
２１  ローノイズアンプ（ＬＮＡ）
２４  ＣＤＭＡ用バンドパスフィルタ
２５  ＦＭ用バンドパスフィルタ
２６  受信側ＩＦ増幅回路
２７  ＱＰＳＫ復調回路
３３  受信信号強度検出回路（ＲＳＳＩ）
３４  比較回路
４０  受信用制御電圧発生回路
４１  可変増幅回路
４２  コントロール回路部
４３  ＡＧＣコントロール回路
４４  バイパスコントロール回路
６１〜６４  カレントミラー回路
【図１】
0004455699.tif 000002
【図２】
0004455699.tif 000003
【図３】
0004455699.tif 000004
【図４】
0004455699.tif 000005
【図５】
0004455699.tif 000006